(57)【特許請求の範囲】
【請求項１】
ＣＰＳ処理ユニットと、
ＩｕＵＰ処理ユニットとを含み、
前記ＣＰＳ処理ユニットと前記ＩｕＵＰ処理ユニットとにより処理される音声データは、ＩｕＵＰプロトコルとＣＰＳプロトコルに基づいてプロトコル変換を受け、前記ＩｕＵＰプロトコルは前記ＣＰＳプロトコルより上位であり、
前記音声データを受信して処理する際に、前記ＣＰＳ処理ユニットはＣＲＣチェックを実行せず、前記ＩｕＵＰ処理ユニットはＣＲＣチェックを実行する  ＡＴＭ網の音声処理システム。
【請求項２】
ＣＰＳヘッダのパラメータのチェックを実行するステップと、
ＩｕＵＰヘッダのヘッダＣＲＣのチェックを実行するステップと、
前記ＩｕＵＰヘッダのパラメータのチェックを実行するステップと、
前記ＩｕＵＰヘッダのペイロードＣＲＣのチェックを実行するステップとを含み、
前記４つのステップでは、前記ＣＰＳヘッダのＣＲＣのチェックは実行されない  ＡＴＭ網の音声処理方法。
【請求項３】
前記ＣＰＳヘッダのパラメータは、
チャネル識別子と情報長表示とを備えている  請求項２のＡＴＭ網の音声処理方法。
【請求項４】
前記ＩｕＵＰヘッダは、
前記ＩｕＵＰヘッダＣＲＣと、
前記ＩｕＵＰペイロードＣＲＣとを備えている  請求項２又は３のＡＴＭ網の音声処理方法。
【発明の詳細な説明】
【０００１】
【発明の属する技術分野】
本発明は、ＡＴＭ網の音声処理システム、及び、その音声処理方法に関し、特に、ＩＭＴ２０００網で音声を処理するＡＴＭ網の音声処理システム、及び、その音声処理方法に関する。
【０００２】
【従来の技術】
通信網として、ＩＭＴ２０００網が知られている。ＩＭＴ２０００網として知られる通信システムでは、図２に示されるように、固定網／無線網スイッチが呼接続を行う。特に、固定網側スイッチ１０１は、他のＩＭＴ２０００網、ＩＳＤＮ網、ＰＩＡＦＳ網、ＰＤＣ網のような通信ネットに接続し、無線網側スイッチ１０２は、無線インタフェース１０３を介して移動機１０６に接続している。無線インタフェース１０３は、信号処理部を有していて、その信号処理部は、無線インタフェース１０３と通信を行う際に、固定網／無線網ユーザデータのプロトコル変換を実行する。無線インタフェース１０３は、基地局制御局１０４と、基地局制御局１０４に接続する複数の無線基地局１０５とから構成され、移動機１０６と無線網側スイッチ１０２との間の通信を制御している。
【０００３】
知られているＩＴＭ２０００網では、公知の無線網側スイッチ１０２と基地局制御局１０４との間で、図３のプロトコルスタックに示されるように、ＡＡＬタイプ２ＳＥＧ−ＳＳＣＳが用いられ、無線網側スイッチ１０２の信号処理部１０７では、ＡＡＬタイプ２ＣＰＳ（以下、ＣＰＳと呼ばれる）が用いられている。信号処理部１０７のＡＴＭセルは、図４，５に示されるように、ＣＰＳヘッダ１０９と、ＩｕＵＰヘッダ１１０とを有している。図４は無線網側のＡＴＭセルフォーマットを示し、図５は固定網側のＡＴＭセルフォーマットを示している。そのＣＰＳヘッダ１０９は、図６に示されるように、ユーザ間表示（User-to-User Indication、以下、ＵＵＩと呼ばれる）１１１により、ユーザデータが複数のＡＴＭセルにまたがっていることを示していて、ＵＵＩ＝０〜２６の場合、そのセルが最終セルであることを示す。図７は、ＩｕＵＰヘッダ１１０を示している。音声処理では、ＩｕＵＰプロトコルがＣＰＳの上位プロトコルとして用いられ、ＩｕＵＰユーザフレームでは、ＵＵＩ＝２６のみが使用され、ＩｕＵＰ制御フレームでは、ＵＵＩ＝２６及びＵＵＩ＝２７が使用される。
【０００４】
無線網側スイッチ１０２の信号処理部１０７は、無線網側よりデータを受け取った場合、図８に示されるように、ＣＰＳ処理部１１２でＣＰＳヘッダを分解し、更に、ＩｕＵＰ処理部１１３でＩｕＵＰヘッダを分解している。このように公知システムでは、音声ユーザデータ処理を実行する際、ＣＰＳヘッダとＩｕＵＰヘッダとで、ＣＲＣチェック処理が２度実行されている。このような２度の実行は、その処理に遅延を招いている。リアルタイム系の音声通信処理は、可能な限り、処理遅延が回避されることが求められる。
【０００５】
２度のＣＲＣチェック処理に起因する処理遅延を音声処理系で抑制することが望まれる。
【０００６】
【発明が解決しようとする課題】
本発明の課題は、２度のＣＲＣチェック処理に起因する処理遅延を音声処理系で抑制することができるＡＴＭ網の音声処理システム、及び、その音声処理方法を提供することにある。
【０００７】
【課題を解決するための手段】
その課題を解決するための手段が、下記のように表現される。その表現中に現れる技術的事項には、括弧（）つきで、番号、記号等が添記されている。その番号、記号等は、本発明の実施の複数・形態又は複数の実施例のうちの少なくとも１つの実施の形態又は複数の実施例を構成する技術的事項、特に、その実施の形態又は実施例に対応する図面に表現されている技術的事項に付せられている参照番号、参照記号等に一致している。このような参照番号、参照記号は、請求項記載の技術的事項と実施の形態又は実施例の技術的事項との対応・橋渡しを明確にしている。このような対応・橋渡しは、請求項記載の技術的事項が実施の形態又は実施例の技術的事項に限定されて解釈されることを意味しない。
【０００８】
本発明によるＡＴＭ網の音声処理システムは、ＣＰＳ処理ユニット（１）と、ＩｕＵＰ処理ユニット（２）とから構成され、ＣＰＳ処理ユニット（１）とＩｕＵＰ処理ユニット（２）とにより処理される音声データは、ＩｕＵＰプロトコルとＣＰＳプロトコルに基づいてプロトコル変換を受け、ＩｕＵＰプロトコルはＣＰＳプロトコルより上位であることが規格標準で規定されている。音声データを受信して処理する際に、ＣＰＳ処理ユニット（１）はＣＲＣチェックを実行せず、ＩｕＵＰ処理ユニット（２）はＣＲＣチェックを実行する。
【０００９】
ＣＰＳヘッダでは、ＵＵＩ＝２６のみしか使用されないから、ＣＰＳヘッダとＩｕＵＰヘッダとは、必ず一緒に付加されている。ＣＰＳヘッダのＣＲＣ（１１６）のチェックは実行されないが、ＩｕＵＰのＣＲＣチェックを実行すれば、ＡＴＭセルの正常性は確認され得る。ＣＰＳヘッダの信号処理では、パラメータ（１１４、１１５）のチェックを実行し、それのＣＲＣ（１１６）のチェックを実行しない。ＣＰＳヘッダのＣＲＣのチェックを実行しない手順省略は、信号処理の遅延を緩和させることができる。
【００１０】
本発明によるＡＴＭ網の音声処理方法は、ＣＰＳヘッダ（１０９）のパラメータ（１１４、１１５）のチェックを実行するステップと、ＩｕＵＰヘッダ（１１０）のヘッダＣＲＣ（１２１）のチェックを実行するステップと、ＩｕＵＰヘッダ（１１０）のパラメータ（１１８）のチェックを実行するステップと、ＩｕＵＰヘッダ（１１０）のペイロードＣＲＣ（１２２）のチェックを実行するステップとから構成されている。このような４つのステップでは、ＣＰＳヘッダ（１０９）のＣＲＣ（１１６）のチェックは実行されない。
【００１１】
ＣＰＳヘッダ（１０９）のパラメータは、チャネル識別子（１１４）、情報長表示（１１５）等を備えている。ＩｕＵＰヘッダ（１１０）のＣＲＣフィールドは、ＩｕＵＰヘッダＣＲＣ（１２１）と、ＩｕＵＰペイロードＣＲＣ（１２２）とから構成されることが規格標準で規定されている。
【００１２】
【発明の実施の形態】
図に対応して、本発明によるＡＴＭ網の音声処理システムの実施の形態は、図２に示される公知の通信システムの無線網側スイッチ１０２の処理部として、ＣＰＳ処理ユニットがＩｕＵＰ処理ユニットとともに設けられている。そのＣＰＳ処理ユニット１は、図１に示されるように、ＩｕＵＰ処理ユニット２に通信処理的に接続している。ＩｕＵＰ処理ユニット２は、ユーザデータ処理ユニット３に通信処理的に接続している。
【００１３】
図１は、既述のユニットの接続関係を示すとともに、本発明によるＡＴＭ網の音声処理方法を既述のユニットにより実行する動作フローを示している。無線網側スイッチ１０２のＩｕＵＰ処理ユニット２の処理部は、図２の無線インタフェース１０３を介して移動機１０６から移動側ユーザデータを受信し、又は、図２の固定網側スイッチ１０１を介して固定側ユーザデータを受信する。
【００１４】
一連の処理に先だって、ステップＳ１で、受信したユーザデータのＡＴＭのヘッダが判定される。そのユーザデータは、図５に示されるＡＡＬタイプ１であるか、又は、図４に示されるＡＡＬタイプ２ＣＰＳであるかが判定される。
【００１５】
ＡＡＬタイプ１である場合：
ステップＳ２で、固定側ＡＴＭのヘッダＣＲＣ判定が実行され、次いで、ステップＳ３で、固定側ＡＴＭのパラメータチェックが実行され、更に、ステップＳ４で、ユーザデータ処理ユニット３によりユーザデータ処理が実行される。
【００１６】
ＡＡＬタイプ２ＣＰＳである場合：
ステップＳ５で、図６に示されるＣＰＳヘッダ１０９のパラメータチェックが実行される。図６に示されるように、ＣＰＳヘッダ１０９のフォーマットは、チャネル識別子（ＣＩＤ）１１４と、情報長表示（ＬＩ）１１５と、ユーザ間表示（ＵＵＩ）１１１と、ＡＡＬタイプ２ＣＰＳヘッダＣＲＣ（ＨＥＣ）１１６とを有している。ステップＳ５のＣＰＳ処理では、チャネル識別子１１４、情報長表示１１５のようなパラメータがチェックされるが、ＡＡＬタイプ２ＣＰＳヘッダＣＲＣ１１６は判定されない。
【００１７】
次に、ステップＳ６で、ＩｕＵＰ処理ユニット２により図７に示されるＩｕＵＰヘッダ１１０のＣＲＣが判定される。ＩｕＵＰヘッダ１１０のフォーマットは、プロトコル・データ・ユニット・タイプ（ＰＤＵタイプ）１１７と、フレーム番号１１８と、ＩｕＵＰモードバージョン１１９と、処理手順表示１２０と、ＩｕＵＰヘッダＣＲＣ１２１と、ペイロードＣＲＣ１２２とを有している。ＩｕＵＰ処理のステップＳ６では、ＩｕＵＰヘッダ１１０のＩｕＵＰヘッダＣＲＣ１２１のチェックが実行される。次に、ステップＳ７でフレーム番号１１８のようなパラメータのチェックが実行される。次に、ステップＳ８で、ＩｕＵＰヘッダ１１０のペイロードＣＲＣ１２２のチェックが実行される。最後に、ユーザデータ処理ユニット３によりユーザデータ処理が実行される。
【００１８】
音声ユーザデータ処理では、ＵＵＩ＝２６のみがＣＰＳヘッダ１０９で使用され、無線網側ＡＴＭセルには、ＩｕＵＰヘッダ１１０が必ず含まれている。ＩｕＵＰヘッダ１１０のＩｕＵＰヘッダＣＲＣ１２１とペイロードＣＲＣ１２２とをチェックすることにより、そのＡＴＭセルの正常性を確認することができる。ＣＰＳヘッダ１０９のＡＡＬタイプ２ＣＰＳヘッダＣＲＣ１１６をチェックしないで、そのＡＴＭセルの正常性を確認することができる。ＣＰＳヘッダ１０９のＡＡＬタイプ２ＣＰＳヘッダＣＲＣ１１６をチェックすることによる時間遅延を回避して、その遅延分の音声遅延を回避することができる。回避することができる遅延分は、７．５μｓｅｃほどである。
【００１９】
【発明の効果】
本発明によるＡＴＭ網の音声処理システム、及び、その音声処理方法は、規格標準の音声信号の正常性を確認しながら処理遅延が緩和される。
【図面の簡単な説明】
【図１】図１は、本発明によるＡＴＭ網の音声処理方法の実施の形態を示す処理ユニット付き動作フロー図である。
【図２】図２は、公知の音声処理システムを示すシステムブロック図である。
【図３】図３は、規格化されているプロトコルスタックを示すプロトコル図である。
【図４】図４は、無線網のＡＴＭセルを示すフォーマット図である。
【図５】図５は、固定網のＡＴＭセルを示すフォーマット図である。
【図６】図６は、規格化されているＣＰＳのヘッダを示すフォーマット図である。
【図７】図７はＩｕＵＰヘッダを示すフォーマット図である。
【図８】図８は、公知の信号処理方法を示す動作フロー図である。
【符号の説明】
１…ＣＰＳ処理ユニット
２…ＩｕＵＰ処理ユニット
３…ユーザデータ処理
１０９…ＣＰＳヘッダ
１１０…ＩｕＵＰヘッダ
１１１…パラメータ：ユーザ間表示
１１４…チャネル識別子
１１５…情報長表示
１１６…ＣＰＳヘッダのＣＲＣ
１１８…パラメータ：フレーム番号
１２１，１２２…ＩｕＵＰヘッダのＣＲＣ
１２１…ＩｕＵＰヘッダＣＲＣ
１２２…ＩｕＵＰペイロードＣＲＣ
【図１】
0003616592.tif 000002
【図２】
0003616592.tif 000003
【図３】
0003616592.tif 000004
【図４】
0003616592.tif 000005
【図５】
0003616592.tif 000006
【図６】
0003616592.tif 000007
【図７】
0003616592.tif 000008
【図８】
0003616592.tif 000009